(57)【特許請求の範囲】
【請求項１】
記録材料を記録ドラムに配設された複数の位置決めピンにより位置決めする画像記録装置において、
前記記録材料の一端を位置決めする際に基準となる基準方向に整列して配置された複数の固定位置決めピンと、
複数の移動位置決めピンと、
前記複数の移動位置決めピンを、前記複数の固定位置決めピンに対して前記基準方向に整列する位置決め位置と、前記複数の固定位置決めピンに対して前記基準方向から前記記録材料が固定される側とは逆側に離隔した退避位置との間で移動させる移動機構と、
前記固定位置決めピンまたは前記移動位置決めピンにより位置決めされた記録材料の端部をクランプにより咥えて前記記録ドラムの周面に固定するクランプ機構と、
前記クランプ機構と当接することにより、前記クランプを開閉するクランプ開閉部材と、
前記クランプ開閉部材と連結され、前記移動機構と当接することにより、前記クランプが前記記録材料を咥える前から前記記録材料を咥えて固定を完了するまでの間、前記移動位置決めピンを前記位置決め位置に配置させる押圧部材と、
を備えたことを特徴とする画像記録装置。
【請求項２】
比較的大サイズの記録材料を記録ドラムに配設された固定位置決めピンを使用して位置決めするとともに、記録材料の一端を位置決めする際に基準となる基準方向に列設した比較的小サイズの一対の記録材料を固定位置決めピンと移動位置決めピンとを使用して位置決めする画像記録装置であって、
前記基準方向に整列して配置された一対の固定位置決めピンと、
一対の移動位置決めピンと、
前記一対の移動位置決めピンを、前記一対の固定位置決めピンに対して前記基準方向に整列する位置決め位置と、前記一対の固定位置決めピンに対して前記基準方向から前記記録材料が固定される側とは逆側に離隔した退避位置との間で移動させる移動機構と、
前記固定位置決めピンまたは前記移動位置決めピンにより位置決めされた記録材料の端部をクランプにより咥えて前記記録ドラムの周面に固定するクランプ機構と、
前記クランプ機構と当接することにより、前記クランプを開閉するクランプ開閉部材と、
前記クランプ開閉部材と連結され、前記基準方向に列設した比較的小サイズの一対の記録材料を位置決めするときに、前記移動機構と当接することにより、前記クランプが比較的小サイズの一対の記録材料を咥える前から当該記録材料を咥えて固定を完了するまでの間、前記移動位置決めピンを前記位置決め位置に配置させる押圧部材と、
を備えたことを特徴とする画像記録装置。
【請求項３】
記録ドラムに配設された３本の位置決めピンを選択的に用いて記録材料を位置決めする
画像記録装置であって、
前記３本の位置決めピンは、前記記録材料の一端を位置決めする際の基準となる基準方
向に整列して配置された２本の固定位置決めピンと１本の移動位置決めピンとを含み、
前記移動位置決めピンを、前記基方向に整列する位置決め位置と、前記基準方向よりも
前記記録材料が固定される側とは逆側に離隔した退避位置との間で移動させる移動機構と、
前記２本の固定位置決めピンを用いて、または前記２本の固定位置決めピンの一方と前記移動位置決めピンとを用いて位置決めされた前記記録材料の端部をクランプにより咥えて前記記録ドラムの周面に固定するクランプ機構と、
前記クランプ機構と当接することにより、前記クランプを開閉するクランプ開閉部材と、
前記クランプ開閉部材と連結され、前記移動機構と当接することにより、前記クランプが前記記録材料を咥える前から前記記録材料を咥えて固定を完了するまでの間、前記移動位置決めピンを前記位置決め位置に配置させる押圧部材と、
を備えたことを特徴とする画像記録装置。
【請求項４】
記録ドラムに配設され、それぞれが位置決め位置と退避位置との間で移動可能な３本の移動位置決めピンを選択的に用いて記録材料を位置決めする画像記録装置であって、
前記３本の移動位置決めピンは、これらすべてが前記位置決め位置にあるときには、前記記録材料の一端を位置決めする際の基準となる基準方向に整列して配置されており、
前記３本の移動位置決めピンの中から選択された２本の移動位置決めピンを、前記位置決め位置と、前記基準方向よりも前記記録材料が固定される側とは、逆側に隔離した前記退避位置との間で移動させる移動機構と、
前記選択された２本の移動位置決めピンを用いて位置決めされた記録材料の端部をクランプにより咥えて前記記録ドラムの周面に固定するクランプ機構と、
前記クランプ機構と当接することにより、前記クランプを開閉するクランプ開閉部材と、前記クランプ開閉部材と連結され、前記移動機構と当接することにより、前記クランプが前記記録材料を咥える前から前記記録材料を咥えて固定を完了するまでの間、前記選択された２本の移動位置決めピンを前記位置決め位置に配置させる押圧部材と、
を備えたことを特徴とする画像記録装置。
【請求項５】
記録ドラムに配設された３本の位置決めピンを選択的に用いて記録材料を位置決めする画像記録装置において、
前記３本の位置決めピンは、１本の固定位置決めピンと、それぞれが位置決め位置と退避位置との間を移動可能な２本の移動位置決めピンとを含み、
前記３本の位置決めピンは、前記２本の移動位置決めピンすべてが前記位置決め位置にあるときに、前記固定位置決めピンと、前記すべての移動位置決めピンとが前記記録材料の一端を位置決めする際の基準となる基準方向に整列して配置されており、
前記２本の移動位置決めピンの中から選択された１本または２本の移動位置決めピンを、前記位置決め位置と、前記基準方向よりも前記記録材料が固定される側とは逆側に離隔した前記退避位置との間で移動させる移動機構と、
前記選択された１本の移動位置決めピンと前記固定位置決めピンとを用いて、または前記２本の移動位置決めピンを用いて位置決めされた前記記録材料の端部をクランプにより咥えて前記記録ドラムの周面に固定するクランプ機構と、
前記クランプ機構と当接することにより、前記クランプを開閉するクランプ開閉部材と、前記クランプ開閉部材と連結され、前記移動機構と当接することにより、前記クランプが前記記録材料を咥える前から前記記録材料を咥えて固定を完了するまでの間、前記選択された１または２本の移動位置決めピンを前記位置決め位置に配置させる押圧部材と、
を備えたことを特徴とする画像記録装置。
【請求項６】
請求項１記載の画像記録装置において、
前記記録ドラムの前記周面には比較的大サイズの記録材料と比較的小サイズの記録材料とが選択的に位置決め可能であり、
前記比較的大サイズの記録材料に関しては、前記２本の固定位置決めピンを用いて位置決めを行い、
前記比較的小サイズの記録材料に関しては、前記２本の固定位置決めピンのうちの一方と前記移動位置決めピンとを用いて位置決めを行うことを行い、
前記押圧部材は、前記比較的大サイズの記録材料の位置決めを行う場合には、前記移動機構と当接することにより前記クランプが前記記録材料を咥える前から前記記録材料を咥えて固定を完了するまでの間、前記移動位置決めピンを前記位置決め位置に配置させるとともに、前記比較的小サイズの記録材料の位置決めを行う場合には、前記移動機構と当接しないように制御されることを特徴とする画像記録装置。
【請求項７】
請求項１乃至請求項６のいずれかに記載の画像記録装置において、
前記押圧部材は、前記クランプ開閉部材に対して移動可能に連結され、
前記移動機構との当接時における前記クランプ開閉部材に対する前記押圧部材の移動距離は、前記クランプ開閉部材が前記クランプ機構と当接した状態で移動する移動距離よりも大きく設定される画像記録装置。
【請求項８】
請求項１乃至請求項７のいずれかに記載の画像記録装置において、
前記基準方向は、前記記録ドラムの軸線方向である画像記録装置。
【発明の詳細な説明】
【技術分野】
【０００１】
この発明は、記録材料を位置決めピンにより記録ドラムの外周面に位置決めする画像記録装置に関する。
【背景技術】
【０００２】
このような画像記録装置においては、特許文献１に記載されたように、比較的大サイズの記録材料に対して記録を行う場合には、記録ドラムの外周面に単一の記録材料を装着して画像の記録を行うが、比較的小サイズの記録材料に対して記録を行う場合には、記録ドラムの軸線方向に比較的小サイズの記録材料を２枚並べて装着することにより、一度で２枚の記録材料に記録を行うようにしている。
【特許文献１】特許第２９６２６９３号
【発明の開示】
【発明が解決しようとする課題】
【０００３】
図１９は、このときの記録材料Ｓ１、Ｓ２と位置決めピンの関係を示す説明図である。
【０００４】
図１９（ａ）は、位置決めピン１１および１４と位置決めピン１２および１３を互いに変位させ、比較的小サイズの記録材料Ｓ１を１枚装着する場合には、内側の一対の位置決めピン１２、１３を使用し、比較的大サイズの記録材料Ｓ２を１枚装着する場合には、外側の一対の位置決めピン１１、１３を使用する場合を示している。
【０００５】
この場合には、比較的小サイズの記録材料Ｓ１を２枚装着する場合には、位置決めピン１１と１２を一方の記録材料Ｓ１の位置決めに使用し、位置決めピン１３と１４を他方の記録材料Ｓ２の位置決めに使用することになる。このとき、一般的には、２枚の記録材料には色違いの同じ絵柄が記録されることから、網点角度のずれにより、多色印刷時に重ねムラが発生する。また、その幅が位置決めピン１１と位置決めピン１４との距離よりわずかに小さい記録材料を位置決めするときには、記録材料が位置決めピン１１または位置決めピン１４と干渉する場合がある。
【０００６】
図１９（ｂ）は、位置決めピン１１および１４と位置決めピン１２および１３を互いに変位させ、比較的小サイズの記録材料Ｓ１を１枚装着する場合にも、比較的大サイズの記録材料Ｓ２を１枚装着する場合にも、内側の一対の位置決めピン１２、１３を使用する場合を示している。
【０００７】
この場合にも、比較的小サイズの記録材料Ｓ１を２枚装着する場合には、位置決めピン１１と１２を一方の記録材料Ｓ１の位置決めに使用し、位置決めピン１３と１４を他方の記録材料Ｓ２の位置決めに使用することになる。このとき、一般的には、２枚の記録材料には色違いの同じ絵柄が記録されることから、網点角度のずれにより、多色印刷時に重ねムラが発生する。
【０００８】
図１９（ｃ）は、位置決めピン１１、１２、１３、１４を同一直線上に配置し、比較的小サイズの記録材料Ｓ１を１枚装着する場合には、内側の一対の位置決めピン１２、１３を使用し、比較的大サイズの記録材料Ｓ２を１枚装着する場合には、全位置決めピン１１、１２、１３、１４を使用する場合を示している。
【０００９】
この場合には、比較的小サイズの記録材料Ｓ１を２枚装着するときに、位置決めピン１１と１２、位置決めピン１３と１４が同一直線上に配置されていることから、上述した重ねムラは生じない。しかしながら、この場合には、比較的大サイズの記録材料Ｓ２が全位置決めピン１１、１２、１３、１４に当接しうることから、記録材料Ｓ２の位置精度はその断裁精度に依存し、記録材料Ｓ２が横方向にずれた場合に、位置ずれが発生する場合がある。
【００１０】
しかしながら、この場合には、比較的大サイズの記録材料Ｓ２が位置決めピン１１、１２、１３、１４のどれに当接しうるかは、記録材料Ｓ２の断裁精度および記録材料Ｓ２の横方向へのずれ量に依存するので、記録材料Ｓ２の記録ドラムの外周面における位置決め精度が低下するおそれがある。
【００１１】
同様に、図１９（ｄ）に示すように、位置決めピンを３本立設し、記録材料の先端に当接させる位置決めピンの数を記録材料の幅に応じて変更することがある。この例では、位置決めピン１１、１２、１３を同一直線上に配置し、比較的小サイズの記録材料Ｓ１を１枚装着する場合には、右寄りの一対の位置決めピン１２、１３を使用し、比較的大サイズの記録材料Ｓ２を１枚装着する場合には、全位置決めピン１１、１２、１３を使用する場合を示している。
【００１２】
両端に配置された位置決めピン１１および位置決めピン１３の間隔は比較的長いため、比較的大サイズの記録材料Ｓ２を位置決めする場合でも、記録材料Ｓ２の先端を安定して位置決めすることができる。しかし、記録材料Ｓ２の断裁精度が良好でない場合には、記録材料Ｓ２に位置ずれが生じることがある。
【００１３】
このため、特許文献１に記載されたように、位置決めピン１１、１２、１３、１４の一部を移動可能にすることが考えられる。この場合には、位置決めピンの移動が記録材料の位置決め精度に影響を与えないようにする必要がある。
【００１４】
この発明は上記課題を解決するためになされたものであり、比較的大サイズの１枚の記録材料を記録ドラムに装着する場合であっても、記録ドラムの軸線方向に列設した比較的小サイズの一対の記録材料を記録ドラムに装着する場合であっても、記録材料を精度よく位置決めすることが可能な画像記録装置を提供することを目的とする。
【００１５】
また、記録ドラムに大きさの異なる記録材料を選択的に装着する場合でも記録材料を精度よく位置決めすることが可能な画像記録装置を提供することを目的とする。
【課題を解決するための手段】
【００１６】
請求項１に記載の発明は、記録材料を記録ドラムに配設された複数の位置決めピンにより位置決めする画像記録装置において、前記記録材料の一端を位置決めする際に基準となる基準方向に整列して配置された複数の固定位置決めピンと、複数の移動位置決めピンと、前記複数の移動位置決めピンを、前記複数の固定位置決めピンに対して前記基準方向に整列する位置決め位置と、前記複数の固定位置決めピンに対して前記基準方向から前記記録材料が固定される側とは逆側に離隔した退避位置との間で移動させる移動機構と、前記固定位置決めピンまたは前記移動位置決めピンにより位置決めされた記録材料の端部をクランプにより咥えて前記記録ドラムの周面に固定するクランプ機構と、前記クランプ機構と当接することにより、前記クランプを開閉するクランプ開閉部材と、前記クランプ開閉部材と連結され、前記移動機構と当接することにより、前記クランプが前記記録材料を咥える前から前記記録材料を咥えて固定を完了するまでの間、前記移動位置決めピンを前記位置決め位置に配置させる押圧部材とを備えたことを特徴とする。
【００１７】
請求項２に記載の発明は、比較的大サイズの記録材料を記録ドラムに配設された固定位置決めピンを使用して位置決めするとともに、記録材料の一端を位置決めする際に基準となる基準方向に列設した比較的小サイズの一対の記録材料を固定位置決めピンと移動位置決めピンとを使用して位置決めする画像記録装置であって、前記基準方向に整列して配置された一対の固定位置決めピンと、一対の移動位置決めピンと、前記一対の移動位置決めピンを、前記一対の固定位置決めピンに対して前記基準方向に整列する位置決め位置と、前記一対の固定位置決めピンに対して前記基準方向から前記記録材料が固定される側とは逆側に離隔した退避位置との間で移動刺せる移動機構と、前記固定位置決めピンまたは前記移動位置決めピンにより位置決めされた記録材料の端部をクランプにより咥えて前記記録ドラムの周面に固定するクランプ機構と、前記クランプ機構と当接することにより、前記クランプを開閉するクランプ開閉部材と、前記クランプ開閉部材と連結され、前記基準方向に列設した比較的小サイズの一対の記録材料を位置決めするときに、前記移動機構と当接することにより、前記クランプが比較的小サイズの一対の記録材料を咥える前から当該記録材料を咥えて固定を完了するまでの間、前記移動位置決めピンを前記位置決め位置に配置させる押圧部材とを備えたことを特徴とする。
【００１８】
請求項３に記載の発明は、記録ドラムに配設された３本の位置決めピンを選択的に用いて記録材料を位置決めする画像記録装置であって、前記３本の位置決めピンは、前記記録材料の一端を位置決めする際の基準となる基準方向に整列して配置された２本の固定位置決めピンと１本の移動位置決めピンとを含み、前記移動位置決めピンを、前記基方向に整列する位置決め位置と、前記基準方向よりも前記記録材料が固定される側とは逆側に離隔した退避位置との間で移動させる移動機構と、前記２本の固定位置決めピンを用いて、または前記２本の固定位置決めピンの一方と前記移動位置決めピンとを用いて位置決めされた前記記録材料の端部をクランプにより咥えて前記記録ドラムの周面に固定するクランプ機構と、前記クランプ機構と当接することにより、前記クランプを開閉するクランプ開閉部材と、前記クランプ開閉部材と連結され、前記移動機構と当接することにより、前記クランプが前記記録材料を咥える前から前記記録材料を咥えて固定を完了するまでの間、前記移動位置決めピンを前記位置決め位置に配置させる押圧部材と、を備えたことを特徴とする。
【００１９】
請求項４に記載の発明は、記録ドラムに配設され、それぞれが位置決め位置と退避位置との間で移動可能な３本の移動位置決めピンを選択的に用いて記録材料を位置決めする画像記録装置であって、前記３本の移動位置決めピンは、これらすべてが前記位置決め位置にあるときには、前記記録材料の一端を位置決めする際の基準となる基準方向に整列して配置されており、前記３本の移動位置決めピンの中から選択された２本の移動位置決めピンを、前記位置決め位置と、前記基準方向よりも前記記録材料が固定される側とは、逆側に隔離した前記退避位置との間で移動させる移動機構と、前記選択された２本の移動位置決めピンを用いて位置決めされた記録材料の端部をクランプにより咥えて前記記録ドラムの周面に固定するクランプ機構と、前記クランプ機構と当接することにより、前記クランプを開閉するクランプ開閉部材と、前記クランプ開閉部材と連結され、前記移動機構と当接することにより、前記クランプが前記記録材料を咥える前から前記記録材料を咥えて固定を完了するまでの間、前記選択された２本の移動位置決めピンを前記位置決め位置に配置させる押圧部材と、を備えたことを特徴とする。
【００２０】
請求項５に記載の発明は、記録ドラムに配設された３本の位置決めピンを選択的に用いて記録材料を位置決めする画像記録装置において、前記３本の位置決めピンは、１本の固定位置決めピンと、それぞれが位置決め位置と退避位置との間を移動可能な２本の移動位置決めピンとを含み、前記３本の位置決めピンは、前記２本の移動位置決めピンすべてが前記位置決め位置にあるときに、前記固定位置決めピンと、前記すべての移動位置決めピンとが前記記録材料の一端を位置決めする際の基準となる基準方向に整列して配置されており、前記２本の移動位置決めピンの中から選択された１本または２本の移動位置決めピンを、前記位置決め位置と、前記基準方向よりも前記記録材料が固定される側とは逆側に離隔した前記退避位置との間で移動させる移動機構と、前記選択された１本の移動位置決めピンと前記固定位置決めピンとを用いて、または前記２本の移動位置決めピンを用いて位置決めされた前記記録材料の端部をクランプにより咥えて前記記録ドラムの周面に固定するクランプ機構と、前記クランプ機構と当接することにより、前記クランプを開閉するクランプ開閉部材と、前記クランプ開閉部材と連結され、前記移動機構と当接することにより、前記クランプが前記記録材料を咥える前から前記記録材料を咥えて固定を完了するまでの間、前記選択された１または２本の移動位置決めピンを前記位置決め位置に配置させる押圧部材と、を備えたことを特徴とする。
【００２１】
請求項６に記載の発明は、請求項１記載の発明において、前記記録ドラムの前記周面には比較的大サイズの記録材料と比較的小サイズの記録材料とが選択的に位置決め可能であり、前記比較的大サイズの記録材料に関しては、前記２本の固定位置決めピンを用いて位置決めを行い、前記比較的小サイズの記録材料に関しては、前記２本の固定位置決めピンのうちの一方と前記移動位置決めピンとを用いて位置決めを行うことを行い、前記押圧部材は、前記比較的大サイズの記録材料の位置決めを行う場合には、前記移動機構と当接することにより前記クランプが前記記録材料を咥える前から前記記録材料を咥えて固定を完了するまでの間、前記移動位置決めピンを前記位置決め位置に配置させるとともに、前記比較的小サイズの記録材料の位置決めを行う場合には、前記移動機構と当接しないように制御されることを特徴とする。
【００２２】
請求項７に記載の発明は、請求項１乃至請求項６のいずれかに記載の発明において、前記押圧部材は、前記クランプ開閉部材に対して移動可能に連結され、前記移動機構との当接時における前記クランプ開閉部材に対する前記押圧部材の移動距離は、前記クランプ開閉部材が前記クランプ機構と当接した状態で移動する移動距離よりも大きく設定される。
【００２３】
請求項８に記載の発明は、請求項１乃至請求項７のいずれかに記載の発明において、前記基準方向は、前記記録ドラムの軸線方向である。
【発明の効果】
【００２４】
請求項１および請求項２に記載の発明によれば、比較的大サイズの１枚の記録材料を記録ドラムに装着する場合であっても、記録ドラムの軸線方向に列設した比較的小サイズの一対の記録材料を記録ドラムに装着する場合であっても、記録材料を精度よく位置決めすることが可能となる。
【００２５】
請求項３乃至請求項６に記載の発明によれば、記録材料の幅の大きさに応じて該記録材料の先端の位置決めを行う位置決めピンの種類を変更して装着することができるので、記録ドラムに安定的に装着することができる記録材料の幅の範囲を広げることができる。
【００２６】
請求項７に記載の発明によれば、簡易な構成により、押圧部材と移動機構との当接時間を制御することが可能となる。
【００２７】
請求項８に記載の発明によれば、記録材料を記録ドラムの軸線方向に位置決めすることができる。
【発明を実施するための最良の形態】
【００２８】
以下、この発明の実施の形態を図面に基づいて説明する。図１は、この発明に係る画像記録装置の側面概要図である。
【００２９】
この画像記録装置は、円筒状の記録ドラム２１を備える。この記録ドラム２１は、回転駆動装置により回転軸２３の周りを矢印Ａ方向（主走査方向）に回転駆動される。記録ドラム２１の外周面には、記録材料としてのアルミニウム製の刷版Ｓが装着される。刷版Ｓの一端は先端クランプ２４により記録ドラム２１の外周面に固定され、刷版Ｓの他端は後端クランプ２５により記録ドラム２１の外周面に固定されている。
【００３０】
記録ドラム２１の前方側には、複数のレーザーダイオードを備えた露光ヘッド２６が配設されている。露光ヘッド２６は、図示しないガイド部材に移動可能に取り付けられ、記録ドラム２１の回転に同期して、図１に示す紙面に垂直な方向（副走査方向）へ移動する。
【００３１】
また、記録ドラム２１の後方側には、クランプ駆動装置２７が設けられている。クランプ駆動装置２７は、記録ドラム２１上への後端クランプ２５の取り付け、記録ドラム２１からの後端クランプ２５の取り外し、記録ドラム２１上の先端クランプ２４の開閉動作、および、移動位置決めピン１０１の移動動作を実行するために用いられる。
【００３２】
また、記録ドラム２１の上方には、搬送ユニット２８が図１に示す矢印Ｒ方向に揺動可能に配設されている。搬送ユニット２８は、刷版搬入用の第１の搬送路３１および刷版搬出用の第２の搬送路３２を有する。刷版Ｓの搬入時には、搬送ユニット２８の第１の搬送路３１を通して刷版Ｓを記録ドラム２１上に供給する。また、刷版Ｓの搬出時には、記録ドラム２１から取り外された刷版Ｓを搬送ユニット２８の第２の搬送路３２を通して外部に搬出する。
【００３３】
図２は、記録ドラム２１の平面図である。なお、図２においては、上述した先端クランプ２４および後端クランプ２５等の図示を省略している。
【００３４】
この記録ドラムは、一対の固定位置決めピン１０２と、一対の移動位置決めピン１０１と、この移動位置決めピン１０１を移動させるための移動機構１００とを備える。
【００３５】
図３に示すように記録ドラム２１の表面には凹部２２が形成されており、移動機構１００は該凹部２２の中に配置されている。凹部２２は先端クランプ２４が配置される凹部２３にその一部が重なるように形成されている。なお、先端クランプ２４は記録ドラム２１軸方向において複数のクランプ部材に分割されており、これら複数の部材が各凹部２３に載置される。換言すると、移動機構１００は、先端クランプ２４を構成する複数のクランプ部材の間に配置されている。
【００３６】
図３乃至図５に示すように、移動機構１００は、その先端に移動位置決めピン１０１が立設されたスライド３３ａと、このスライド３３ａを跨ぐように記録ドラム２１表面の凹部２２の底面に固定されたガイド３３ｂと、ガイド３３ｂを凹部２２の底面に固定するビス７１および７２と、スライド３３ａをその先端に形成された凹部３８（図５参照）によって押圧してスライド３３ａをガイド３３ｂに沿って移動させる揺動部材３５と、揺動部材３５をガイド３３ｂに対して回動自在に軸支する軸３６と、スライド３３ａ上の突起部材３３ｃに固着された軸３４と、軸３４と軸３６との間に掛け渡されスライド３３ａを軸３６に近接する方向に付勢する一対の引っ張りバネ３９と、揺動部材３５を上方に向けて付勢する圧縮バネ４０とを有している。
【００３７】
図６は、移動機構１００の要部の底面図である。図６に示すように、スライド３３ａにはビス７１および７２が貫通するガイド孔３３ｄおよび３３ｅが形成され、スライド３３ａはガイド孔３３ｄおよび３３ｅに沿ってビス７１および７２が相対的に摺動できるように構成されている。これにより、スライド３３ａはガイド３３ｂに沿って移動可能である。
【００３８】
揺動部材３５は圧縮バネ４０によってその先端側が図４における反時計方向に回動する方向に付勢されているので、通常の状態においては、揺動部材３５は図４に示す位置に配置されている。この状態においては、スライド３３ａの軸３４は、揺動部材３５に形成された凹部３８（図５参照）と当接しており、移動位置決めピン１０１は、引っ張りバネ３９の作用により軸３６側に変位した状態となっている。この状態において、後述する押圧部材４１により揺動部材３５の上面３７を押圧した場合には、揺動部材３５は圧縮バネ４０による付勢力に抗して、図４における時計方向に回動して、図５に示す位置まで移動する。揺動部材３５のこの回動によって、スライド３３ａの軸３４は揺動部材３５の凹部３８に押圧されて、引っ張りバネ３９の引っ張り力に抗して、図中の矢印方向にスライドする。これにより、移動位置決めピン１０１は、軸３６から離隔する方向に変位した状態となる。
【００３９】
図４に示すように、移動位置決めピン１０１が軸３６側に変位した位置は、移動位置決めピン１０１が固定位置決めピン１０２に対して記録ドラム２１の軸線方向から刷版Ｓが固定される側とは逆側に離隔した退避位置であり、図５に示すように移動位置決めピン１０１が軸３６から離隔する方向に変位した位置は、移動位置決めピン１０１が固定位置決めピン１０２に対して記録ドラム２１の軸線方向に整列する位置決め位置である。
【００４０】
すなわち、２本の固定位置決めピン１０２は記録ドラム２１の軸線方向（刷版Ｓの先端を位置決めする際の基準となる一点鎖線Ｌで示す基準方向。）に整列して配置されている。また、２本の移動位置決めピン１０１は、退避位置に位置するときには、上記基準方向Ｌよりも刷版Ｓが固定される側とは逆側に離隔して整列して配置され、位置決め位置まで移動したときには、上記基準方向Ｌに整列して配置されることになる。
【００４１】
次に、上述したクランプ駆動装置２７の構成について説明する。図７はクランプ駆動装置２７を記録ドラム２１とともに示す側面概要図である。また、図８はクランプ駆動装置２７における支持部材５３を記録ドラム２１とともに示す斜視図であり、図９は支持部材５３を図８とは逆側から見た斜視図である。
【００４２】
このクランプ駆動装置２７は、記録ドラム２１上への後端クランプ２５の取り付け、記録ドラム２１からの後端クランプ２５の取り外し、記録ドラム２１上の先端クランプ２４の開閉動作、および、移動位置決めピン１０１の移動動作を実行するために用いられるものであるが、以下の説明においては、先端クランプ２４の開閉動作および移動位置決めピン１０１の移動動作についてのみ説明する。
【００４３】
このクランプ駆動装置２７は、そこに設けられた孔部６２が回転板６３に立設された駆動ピン６４と係合することにより軸５１を中心に揺動可能なアーム５２と、このアーム５２と図示しないリンク機構を介して接続され、アーム５２に対して揺動可能な支持部材５３と、支持部材５３に配設された図示しない案内部材に案内されることにより、支持部材５３に対して移動可能な移動板５４とを備える。
【００４４】
図９に示すように、支持部材５３にはその回転軸にピニオンギヤ５６を有するモータ５５が付設されている。また、支持部材５３には、駆動軸により連結される一対のピニオンギヤ５７が配設されており、これらのピニオンギヤ５７のうちの一方は、ピニオンギヤ５６と噛合している。一方、移動板５４には一対のラック５８が配設されており、これら一対のラック５８は、一対のピニオンギヤ５７と噛合している。このため、移動板５４は、モータ５５の駆動により、支持部材５３に対して移動する構成となっている。そして、この移動板５４には、上述した移動機構１００の揺動部材３５を押圧するための一対の円柱状の押圧部材４１が配設されている。この押圧部材４１は、図示しない圧縮バネにより、ストロークＨ１だけその軸芯方向に移動可能な状態で、移動板５４に対して配設されている。
【００４５】
図９に示すように、支持部材５３には、後端クランプ２５を着脱するためのモータ５９が配設されている。なお、後端クランプ２５の着脱動作については、その説明を省略する。
【００４６】
次に、このクランプ駆動装置２７を使用した先端クランプ２４の開閉動作および移動位置決めピン１０１の移動動作について説明する。図１０乃至図１３は、先端クランプ２４の開閉動作および移動位置決めピン１０１の移動動作を示す側面図であり、図１３および図１４は、押圧部材４１の動作および移動位置決めピン１０１の移動動作を示す斜視図である。
【００４７】
なお、以下の説明においては、図２に示す左側の移動位置決めピン１０１と左側の固定位置決めピン１０２を使用して、比較的小サイズの刷版を位置決めするとともに、図２に示す右側の移動位置決めピン１０１と右側の固定位置決めピン１０２を使用して、他の比較的小サイズの刷版を位置決めすることにより、単一の記録ドラム２１の軸線方向に一対の刷版を整列して配置する場合について説明する。
【００４８】
このときには、図１０に示すように、移動板５４は、最初は支持部材５３の上端に位置している。この状態から、図９に示すモータ５５の駆動により、移動板５４を図１１に示す位置まで下降させる。この状態においては、図１４に示すように、押圧部材４１と移動機構１００とは離隔している。
【００４９】
この状態から、図１２に示すように、アーム５２を軸５１（図６参照）中心に時計方向に揺動させる。これにより、図１５に示すように、押圧部材４１が移動機構１００における揺動部材３５の上面３７（図３参照）を押圧する。
【００５０】
これにより、移動位置決めピン１０１が図４に示す位置から図５に示す位置に移動する。すなわち、上述した押圧部材４１による押圧動作に伴い、移動位置決めピン１０１は、移動位置決めピン１０１が固定位置決めピン１０２に対して記録ドラム２１の軸線方向から刷版Ｓが固定される側とは逆側に離隔した退避位置から、移動位置決めピン１０１が固定位置決めピン１０２に対して記録ドラム２１の軸線方向に整列する位置決め位置に移動することになる。
【００５１】
そして、この状態から、図１３に示すように、アーム５２をさらに軸５１中心に時計方向に揺動させる。これにより、支持部材５３に付設されたクランプ開閉部材６１が先端クランプ２４と当接して、図１３に示すように、先端クランプ２４を開放する。
【００５２】
なお、上述した押圧部材４１の軸芯方向の移動ストロークＨ１は、クランプ開閉部材６１が先端クランプ２４と当接した状態で移動する移動距離Ｈ２よりも大きく設定されている。このため、支持部材５３が図１２に示す状態から図１３に示す状態まで揺動した場合には、移動機構１００との当接時におけるクランプ開閉部材６１を備えた支持部材５３に対する押圧部材４１の移動距離は、クランプ開閉部材６１が先端クランプ２４と当接した状態で移動する移動距離よりも大きいことになる。
【００５３】
この状態において、搬送ユニット２８における刷版搬入用の第１の搬送路３１を通して、比較的小サイズの２枚の刷版Ｓを記録ドラム２１上に供給する。
【００５４】
そして、アーム５２を、図１２に示す位置まで反時計方向に揺動させる。これにより、支持部材５３に付設されたクランプ開閉部材６１が先端クランプ２４から離隔して、刷版Ｓの先端は先端クランプ２４により咥えられ、記録ドラム２１の外周面に固定される。この状態においても、移動機構１００との当接時におけるクランプ開閉部材６１を備えた支持部材５３に対する押圧部材４１の移動距離Ｈ１は、クランプ開閉部材６１が先端クランプ２４と当接した状態で移動する移動距離Ｈ２よりも大きいことから、押圧部材４１は移動機構１００における揺動部材３５の上面３７を押圧したままであり、移動位置決めピン１０１は、移動位置決めピン１０１が固定位置決めピン１０２に対して記録ドラム２１の軸線方向に整列する位置決め位置に配置される状態を保つことになる。
【００５５】
しかる後、支持アーム５３を、図１１に示す位置まで反時計方向に揺動させる。これにより、押圧部材４１は移動機構１００における揺動部材３５の上面３７から離隔し、移動位置決めピン１０１は、移動位置決めピン１０１が固定位置決めピン１０２に対して記録ドラム２１の軸線方向から刷版Ｓが固定される側とは逆側に離隔した退避位置に移動することになる。
【００５６】
しかし、この段階で、先端クランプ２４による刷版Ｓの固定はすでに完了しているので刷版Ｓは移動位置決めピン１０１が退避位置に移動してもその記録ドラム２１表面で位置ずれすることはない。
【００５７】
次に、図２に示す一対の固定位置決めピン１０２を使用して、単一の刷版を位置決めする場合について説明する。
【００５８】
この場合においては、図１０に示すように、移動板５４を支持部材５３の上端に配置した状態のまま、アーム５２を軸５１中心に時計方向に揺動させ、支持部材５３を図１３に示す位置に配置する。これにより、支持部材５３に付設されたクランプ開閉部材６１が先端クランプ２４と当接して、先端クランプ２４を開放する。
【００５９】
但し、このときには、移動板５４が支持部材５３の上端に配置されていることから、押圧部材４１が移動機構１００における揺動部材３５の上面３７を押圧することはない。このため、移動位置決めピン１０１は、移動位置決めピン１０１が固定位置決めピン１０２に対して記録ドラム２１の軸線方向から刷版Ｓが固定される側とは逆側に離隔した退避位置に配置されたままとなる。
【００６０】
このため、この場合には刷版Ｓが一対の固定位置決めピン１０２のみによって位置決めされるので、刷版Ｓの位置精度がその断裁精度に左右されることはなく、また、その幅が位置決めピン１１と位置決めピン１４との距離よりわずかに小さい刷版Ｓを位置決めするときにも、刷版Ｓが移動位置決めピン１０１と干渉することはない。
【００６１】
なお、上述した実施形態においては、移動位置決めピン１０１と固定位置決めピン１０２とを２本ずつ、合計４本の位置決めピンを選択的に用いて記録材料の位置決めを行った。しかし、本発明は、３本の位置決めピンを選択的に使用して画像記録材料を位置決めする場合であっても適用可能である。
【００６２】
これを図１６乃至図１８を用いて説明する。これらの図面は、移動位置決めピン１０１と固定位置決めピン１０２を記録ドラム２１の周面に合計３本配置する各場合の概念図である。移動位置決めピン１０１の移動機構１００は上述した実施形態と同様である。ただし、図１７および図１８を用いて説明する場合においては、移動位置決めピン１０１が複数本存在し、それぞれを個別に移動させる必要がある。このため、上述した実施形態における押圧部材４１が各移動位置決めピン１０１毎に設けられ、これらの押圧部材４１が個別に、図１０に示す上昇位置と図１１に示す下降位置とを占めることができるように構成されている。
【００６３】
図１６における例では、固定位置決めピン１０２を２本配置する。さらに、１本の移動位置決めピン１０１を、２本の固定位置決めピン１０２の間であって、その位置決め位置が両固定位置決めピン１０２によって形成される基準方向Ｌと一致する位置に配置している。
【００６４】
この例では、比較的幅が狭い刷版Ｓ１ａと比較的幅が広い刷版Ｓ１ｂを選択的に記録ドラム２１の周面に装着できる。
【００６５】
すなわち、比較的幅が狭い刷版Ｓ１ａは左端の固定位置決めピン１０２と移動位置決めピン１０１とを用いて位置決めを行う。すなわち、移動位置決めピン１０１を予め退避位置から位置決め位置まで移動させておき、その状態で刷版Ｓ１ａを搬送ユニット２８から記録ドラム２１に向けて送り出し、左端の固定位置決めピン１０２と移動位置決めピン１０１とに刷版Ｓ１ａの先端を当接させて刷版Ｓ１ａの位置決めを行う。つぎに、上述した実施形態と同様に、クランプ部材によるクランプ、刷版Ｓ１ａのクランプ固定完了後の移動位置決めピン１０２の退避位置への移動とを順次実施する。
【００６６】
一本、比較的幅が広い刷版Ｓ１ｂは、移動位置決めピン１０１を基準方向Ｌから刷版Ｓ１ｂが固定される側とは逆側に退避させたままで、２本の固定位置決めピン１０２によって位置決めさせる。
【００６７】
このように、固定しようとする刷版Ｓ１の幅に応じて３本の位置決めピン１０１および１０２中の２本を選択して使用することができるので刷版Ｓ１を記録ドラム２１上に安定的に装着できる。
【００６８】
図１７における例では、３本の移動位置決めピン１０１を、各位置決めピン１０１の位置決め位置が基準方向Ｌと一致するように配置している。左端の第１移動位置決めピン１０１ａと中間の第２移動位置決めピン１０１ｂの基準方向Ｌに沿った方向の間隔は、第２移動位置決めピン１０１ｂと右端の第３移動位置決めピン１０１ｃとのそれよりも小さく設定されている。したがって、最も幅の狭い刷版Ｓ１ａは第１移動位置決めピン１０１ａおよび第２移動位置決めピン１０１ｂによって、最も幅の広い刷版Ｓ１ｃは第１移動位置決めピン１０１ａおよび第３移動位置決めピン１０１ｃによって、中間幅の刷版Ｓ１ｂは第２移動位置決めピン１０１ｂと第３移動位置決めピン１０１ｃによって固定することができる。なお、使用する位置決めピン１０１は、刷版Ｓ１のクランプ前からクランプ完了まで位置決め位置に位置される。そして刷版Ｓ１のクランプ完了後は退避位置まで移動させる。
【００６９】
このように、固定しようとする刷版Ｓ１の幅に応じて３本の移動位置決めピン１０２中の２本を選択して使用することができるので刷版Ｓ１を記録ドラム２１上に安定的に装着できる。
【００７０】
図１８における例では、２本の移動位置決めピン１０１ａおよび１０１ｂと、固定位置決めピン１０２とを記録ドラム２１の周面に配置している。移動位置決めピン１０１ａおよび１０１ｂの各位置決め位置と、固定位置決めピン１０２とによって基準方向Ｌが形成されている。第１移動位置決めピン１０１ａと第２移動位置決めピン１０１ｂの基準方向Ｌに沿った方向における間隔は、第２移動位置決めピン１０１ｂと固定位置決めピン１０２とのそれよりも小さく設定されている。
【００７１】
したがって、最も幅の狭い刷版Ｓ１ａは第１移動位置決めピン１０１ａおよび第２移動位置決めピン１０１ｂによって、最も幅の広い刷版Ｓ１ｃは第１移動位置決めピン１０１ａおよび固定位置決めピン１０２によって、中間幅の刷版Ｓ１ｂは第２移動位置決めピン１０１ｂおよび固定位置決めピン１０２によって固定することができる。なお、使用する位置決めピン１０１は、刷版Ｓ１のクランプ前からクランプ完了まで位置決め位置に位置させる。そして刷版Ｓ１のクランプ完了後は退避位置まで移動させる。
【００７２】
このように、固定しようとする刷版Ｓ１の幅に応じて３本の位置決めピン１０１および１０２中の２本を選択して使用することができるので刷版Ｓ１を記録ドラム２１上に安定的に装着できる。
【００７３】
なお、上述した実施形態においては、円柱状の移動位置決めピン１０１および固定位置決めピン１０２を利用して刷版Ｓの位置決めを行っている。しかしながら、位置決めピンとしては、円柱状に限らず、各種のものを使用することができる。例えば、ＵＳＰ６３２１６５１Ｂ１に記載されているような、断面が略矩形状の位置決めピン等を使用してもよい。この明細書で述べるピンとは、このような各種の形状を含む概念である。
【００７４】
また、位置決めピンによる画像記録材料先端の位置決め方向は、記録ドラムの軸線方向と平行な方向が望ましいが、該先端を記録ドラムの軸線方向に対して所定角度傾けた状態で位置決めするようにした場合であっても本発明は適用可能である。
【図面の簡単な説明】
【００７５】
【図１】この発明に係る画像記録装置の側面概要図である。
【図２】記録ドラム２１の平面図である。
【図３】移動機構１００の斜視図である。
【図４】移動機構１００の側面概要図である。
【図５】移動機構１００の側面概要図である。
【図６】移動機構１００の要部の底面図である。
【図７】クランプ駆動装置２７を記録ドラム２１とともに示す側面概要図である。
【図８】クランプ駆動装置２７における支持部材５３を記録ドラム２１とともに示す斜視図である。
【図９】支持部材５３を図８とは逆側から見た斜視図である。
【図１０】先端クランプ２４の開閉動作および移動位置決めピン１０１の移動動作を示す側面図である。
【図１１】先端クランプ２４の開閉動作および移動位置決めピン１０１の移動動作を示す側面図である。
【図１２】先端クランプ２４の開閉動作および移動位置決めピン１０１の移動動作を示す側面図である。
【図１３】先端クランプ２４の開閉動作および移動位置決めピン１０１の移動動作を示す側面図である。
【図１４】押圧部材４１の動作および移動位置決めピン１０１の移動動作を示す斜視図である。
【図１５】押圧部材４１の動作および移動位置決めピン１０１の移動動作を示す斜視図である。
【図１６】記録材料Ｓ１と位置決めピンの関係を示す説明図である。
【図１７】記録材料Ｓ１と位置決めピンの関係を示す説明図である。
【図１８】記録材料Ｓ１と位置決めピンの関係を示す説明図である。
【図１９】記録材料Ｓ１、Ｓ２と位置決めピンの関係を示す説明図である。
【符号の説明】
【００７６】
２１      記録ドラム
２４      先端クランプ
２５      後端クランプ
２６      露光ヘッド
２７      クランプ駆動装置
２８      搬送ユニット
３３ａ    スライド
３３ｂ    ガイド
３４      軸
３５      揺動部材
３６      軸
３８      凹部
３９      バネ
４０      バネ
４１      押圧部材
５１      軸
５２      アーム
５３      支持部材
５４      移動板
５５      モータ
５６      ピニオンギヤ
５７      ピニオンギヤ
５８      ラック
６１      クランプ開閉部材
６２      孔部
６３      回転板
６４      駆動ピン
１００    移動機構
１０１    移動位置決めピン
１０２    固定位置決めピン
Ｓ        刷版
【図１】
0004446944.tif 000002
【図２】
0004446944.tif 000003
【図３】
0004446944.tif 000004
【図４】
0004446944.tif 000005
【図５】
0004446944.tif 000006
【図６】
0004446944.tif 000007
【図７】
0004446944.tif 000008
【図８】
0004446944.tif 000009
【図９】
0004446944.tif 000010
【図１０】
0004446944.tif 000011
【図１１】
0004446944.tif 000012
【図１２】
0004446944.tif 000013
【図１３】
0004446944.tif 000014
【図１４】
0004446944.tif 000015
【図１５】
0004446944.tif 000016
【図１６】
0004446944.tif 000017
【図１７】
0004446944.tif 000018
【図１８】
0004446944.tif 000019
【図１９】
0004446944.tif 000020